(57)【要約】      （修正有）【課題】排気運転と給気運転を同時に連続して行うこともできるし、そのいずれか一つだけでも行えることもでき、窓の大きさに合わせて自在に調整して装着することができる排気ファンと給気ファンとを備えたウィンドツインファンを実現する。【解決手段】本体フレーム２と、本体フレーム２に取り付けられ、排気用モータ１１を有する排気ファン８及び給気用モータ１４を有する給気ファン１０と、を備え、排気用モータ１１及び給気用モータ１４は、それぞれ独立して始動、停止及び回転速度を制御できるものであり、前記排気ファン８及び前記給気ファン１０は、それぞれのモータを制御することにより、同時に運転可能でもあるし、いずれか一つだけでも運転可能である。【選択図】図２
0003103260.tif 000002
【実用新案登録請求の範囲】
【請求項１】
本体フレームと、該本体フレームに取り付けられ、排気用モータを有する排気ファン及び給気用モータを有する給気ファンとを備え、窓に装着して使用される窓取付用の換気装置であって、
前記排気用モータ及び前記給気用モータは、それぞれ独立して始動、停止及び回転速度を制御できるものであり、前記排気ファン及び前記給気ファンは、それぞれのモータを制御することにより、同時に運転可能でもあるし、いずれか一つだけでも運転可能であることを特徴とする窓取付用の換気装置。
【請求項２】
前記排気ファン及び給気ファンを正面側から全面的にカバーするカバーパネルが、前記フレームに正面側から取り付けられており、該カバーパネルには、排気ファンに対応して排気側ルーバーが設けられており、給気ファンに対応して可動の給気側ルーバーが設けられていることを特徴とする窓取付用の換気装置。
【請求項３】
前記本体フレームに、窓枠に取り付けるための取付用サッシ及び窓枠と前記本体フレームとの隙間をカバーする延長パネルを引き出し自在に設けたことを特徴とする窓取付用の換気装置。
【請求項４】
前記排気用モータ及び前記給気用モータは、タイマー設定による自動運転機能を有するとともに、室温設定により自動停止機能を有することを特徴とする窓取付用の換気装置。
【考案の詳細な説明】
【技術分野】
【０００１】
本考案は、窓取付用の換気装置（本明細書では「ウィンドツインファン」と言う。）に関し、特に、それぞれがモータを有する排気ファン及び給気ファンを備えており、排気及び給気（吸気）運転を同時に行うこともできるし、いずれか一つの運転だけを行うこともできる窓取付用の換気装置に関する。
【０００２】
一つの換気扇をモータで回転方向を切り換えて排気又は給気を行う、モータ切換型の換気扇は、従来、周知である。
【０００３】
又、換気扇は一つであるが、内側と外側に送風方向が逆向きの送風ファンを同軸に設けて同時に排気と給気を可能とする給排気換気扇は公知である（例．特許文献１、２参照）。
【０００４】
さらに、排気装置と給気装置を別個に設けて厨房等の排気と給気を同時に行う換気システムは公知である（例．特許文献３参照）。
【特許文献１】実開平０６−８４２３２号公報
【特許文献２】特開２００２−２１３３９３号公報
【特許文献３】特開２００２−０３９５９９号公報
【考案の開示】
【考案が解決しようとする課題】
【０００５】
従来周知であったモータ切換型の換気扇は、同時に給気と排気をすることができず、室内の湿気や汚れた空気を排気しながら、外部から新鮮な空気を給気するようなことはできないという問題があった。
【０００６】
特許文献１、２に示す公知例の給排気換気扇は、同時に排気と給気は可能であるが、一つのモータで駆動される一体のファンであるために、排気と給気それぞれの風量が小さくなり、十分な風量が確保できない。しかも、排気及び給気を、それぞれ独立してきめ細かく制御するようなことはことはできないばかりでなく、ファン自体が特殊な構造であるから市販のファンを利用するようなことができず、コスト的にも問題がある。
【０００７】
特許文献３に示す公知例は、厨房の排気と給気を別のファンで行うものであるが、あくまでも厨房の構造に沿って、排気ファンと給気ファンをそれぞれ別の箇所に設置するものであり、窓に一体として取り付けるようなウィンドファンに適用することを意図するものではない。
【０００８】
本考案は、上記のような従来の問題点を解決することを目的とするものであり、排気と給気をそれぞれ独立して行い、かつ、排気と給気それぞれの動作を別個に制御することが可能であり、しかも排気ファンと給気ファンをともにコンパクトに組み込んで窓に簡単に取り付けることができる簡単な構造の自動運転機能付き及び自動停止機能付きウィンドツインファンを実現することを課題とする。
【課題を解決するための手段】
【０００９】
本考案は上記課題を解決するために、本体フレームと、該本体フレームに取り付けられ、排気用モータを有する排気ファン及び給気用モータを有する給気ファンと、を備え、窓に装着して使用される窓取付用の換気装置であって、前記排気用モータ及び前記給気用モータは、それぞれ独立して始動、停止及び回転速度を制御できるものであり、前記排気ファン及び前記給気ファンは、それぞれのモータを制御することにより、同時に運転可能でもあるし、いずれか一つだけでも運転可能であることを特徴とする窓取付用の換気装置を提供する。
【００１０】
本考案に係る窓取付用の換気装置では、前記排気ファン及び給気ファンを正面側から全面的にカバーするカバーパネルが、前記フレームに正面側から取り付けられており、該カバーパネルには、排気ファンに対応して排気側ルーバーが設けられており、給気ファンに対応して可動の給気側ルーバーが設けられていることを特徴とする。
【００１１】
本考案に係る窓取付用の換気装置では、前記本体フレームに、窓枠に取り付けるための取付用サッシ及び窓枠と前記本体フレームとの隙間をカバーする延長パネルを引き出し自在に設けたことを特徴とする。                                                    
【考案の効果】
【００１２】
本考案は、このような構成であるから、次のような効果が生じる。
（１）別個に制御できるモータをそれぞれ備えた排気ファンと給気ファン、コンパクトに組み込んで成るウィンドツインファンの構成としたので、窓に、排気ファンと給気ファンをきわめて簡単に取り付けることができる。本考案のウィンドツインファンの本体フレームに、引き出し可能な取付用サッシや延長パネルを内蔵することで、窓の大きさに合わせて自在に調整して取り付けることができる。
【００１３】
（２）排気装置及び給気装置は、同時に連続運転可能であるので、夏期夜間の外気（給気）を取り入れ、又室内の汚れた空気（排気）する場合等に適している。さらに、排気装置及び給気装置は、それぞれ独立して始動・停止及び送風強度をそれぞれ独立してコントロールできるから、室内の温度、湿度、戸外の気象条件等を考慮して、排気及び給気の強度をきめ細かく調整し、室内を最適な環境条件に設定することができる。又、排気及び給気のそれぞれのモードについて、大風量が確保できる。
【００１４】
（３）給気部に自動的に揺動する又は手動でその角度を調整することのできるルーバーを設けることで、給気について、室内全体に均等にあるいは、好みの箇所に送気することができる。さらに、オプションとして、マイナスイオン発生装置、酵素発生装置、除菌装置等を組み合わせれば、それらの効果も相乗的に付与することができる。
【００１５】
（４）タイマー設定による自動運転機能付きの構成としたので、利用者が連続運転時間を設定することにより、設定された時間だけ自動的に連続運転を行うことができる。さらに、室温設定による自動停止機能付きの構成としたので、利用者が室温を所望の温度に設定すると、室温がこの設定温度になると、自動的に運転を停止し、その後、室温がこの設定温度からある程度上昇した場合には、運転が再開できる。
【考案を実施するための最良の形態】
【００１６】
本考案の特徴は、別個に制御できるモータをそれぞれ備えた排気ファンと給気ファンをコンパクトに組み込んで、窓に簡単に取り付けることのできるウィンドツインファンの構成にある。以下、本考案に係るウィンドツインファンを実施するための最良の形態を実施例に基づいて図面を参照して説明する。
【実施例】
【００１７】
本考案に係るウィンドツインファン１の本体フレーム２は、図１（ａ）、（ｂ）、図２（ａ）に示すように、矩形の枠３、４を有し、上側に排気部５が形成されており、下側には給気部６（吸気部）が形成されている。排気部５には、室（部屋側）に向けて若干、拡開した筒状の排気パネル７が設置され、その中心に排気ファン８が設けられてている。給気部６には、戸外側に向けて若干、拡開した筒状の給気パネル９が設置され、その中心に給気ファン１０が設けられている。
【００１８】
排気ファン８は、排気用モータ１１の回転軸に排気羽根１２（排気用のプロペラファン）が装着されスピンナー１３で固定されて構成される。一方、給気ファン１０は、給気用モータ１４の回転軸に給気羽根１５（給気用のプロペラファン）が装着されスピンナー１３で固定されて構成される。
【００１９】
排気羽根１２と給気羽根１５は、図２（ａ）に示すように、送風方向が互いに逆方向になるように形成されており、排気用モータ１１と給気用モータ１４により同じ方向に回転しても、互いに逆方向に送風する。
【００２０】
本考案に係るウィンドツインファン１は、排気用モータ１１及び給気用モータ１４を、それぞれ独立して、その回転速度を選択的に調整でき、又始動・停止を選択的に操作できるような、操作制御装置を備えている。例えば、排気用モータ１１及び給気用モータ１４の回転速度は、それぞれ２〜３段階の速度（２〜３スピード）で独立して選択して運転できる構成とする。
【００２１】
このように、本考案に係るウィンドツインファン１は、排気ファン８及び給気ファン１０を併設し、それぞれ２〜３スピードのいずれかに選択でき、排気及び給気を、２スピードの場合は停止、弱モード、強モード、３スピードの場合は停止、微モード、弱モード、強モードのいずれかに、それぞれ独立的に切り替えることができる構成とした。
【００２２】
そして、本考案に係るウィンドツインファン１は、タイマー設定による自動運転機能付きの構成とした。即ち、排気ファン８及び給気ファン１０について、利用者が連続運転時間を設定することにより、設定された時間だけ自動的に連続運転を行うことができるように排気用モータ１１と給気用モータ１４を自動的に制御する構成とした。
【００２３】
さらに、本考案に係るウィンドツインファン１は、室温設定による自動停止機能付きの構成とした。即ち、排気ファン８及び給気ファン１０について、利用者が室温を所望の温度に設定（例えば、夏期において２５℃に設定）すると、室温がこの設定温度になると、自動的に運転を停止し、その後、室温がこの設定温度から上昇した場合（実際はこの設定温度から例えば３℃程度上昇した場合等）に、運転を再開するように排気用モータ１１と給気用モータ１４を自動的に制御する構成とした。
【００２４】
このように排気用モータ１１と給気用モータ１４を自動的に制御する具体的な構成としては制御装置が必要である。制御装置としてマイコン（図示せず）を利用するとよい。以下、具体的な構成の一例を説明する。上述のタイマー設定による自動運転機能付きの構成では、使用者が、手元のリモコン２３で連続運転時間を指定すると、マイコンのタイマー機能が指定された運転時間に予め設定され、この運転時間が経過すると、マイコンからタイマー信号を出力して、このタイマー信号で排気用モータ１１と給気用モータ１４を自動的に制御する構成とすればよい。
【００２５】
上述のタイマー設定による自動運転機能付きの構成では、使用者が、手元のリモコン２３で所望の温度に指定すると、この温度にマイコンの室温設定機能が予め設定される。そして、運転中、ウィンドツインファン１の室内側に設けたサーミスタ等の温度検知器（図示せず）により室内温度を計測し、その計測信号をマイコンに取り込み、予め設定した室内温度と比較して、温度検知器により計測した室内温度が予め設定された室内温度をある程度以上超えた場合は、マイコンが停止信号を発生して排気用モータ１１と給気用モータ１４を自動的に運転停止するように制御する構成とすればよい。
【００２６】
本体フレーム２の室（部屋）側の正面には、その枠３にカバーパネル１６が装着されている。カバーパネル１６は、上下方向中央部に操作パネル１７を有し、この操作パネル１７により、上側開口部１８と下側開口部１９に区画されている。上側開口部１８に面して、複数の排気ルーバー２０がその向きが固定されてカバーパネル１６に取り付けられている。
【００２７】
下側開口部１９に面して、複数の給気ルーバー２１がその向きが可動に取り付けられている。この可動の給気ルーバー２１は、手動で送風方向の傾きを調整できるように、給気ルーバー２１の上下端を単にカバーパネル１６に枢着する構成でもよいし、あるいは、給気ルーバー２１が自動的に揺動（スイング）可能に取り付けられている構成としてもよい。
【００２８】
揺動可能にする場合は、給気ルーバー２１の揺動機構を設ける必要があるが、この揺動機構自体は、エアコン等の吹出口に利用され公知であるから、特に本明細書では説明はしないが、要は、給気ルーバー２１の上下いずれかに、シンクロナスモータ２９で駆動される首振り機構（図示しない。）が設けられており、これにより複数の給気ルーバー２１が同期して揺動し、給気を室の全域に均等に送るようにすることができるような構成である。
【００２９】
操作パネル１７には、ウィンドツインファン１の動作状態を表示するいくつかの表示部２２が設けられている。例えば、排気の始動・停止状態及び排気強度切り替え状態、給気の始動・停止状態及び給気強度切り替え状態等を表示する表示部等である。
【００３０】
さらに、操作パネル１７には、これらの操作が手元のリモコン２３で操作し運転できるように、リモコン２３の送信信号の受信部２４が設けられている。なお、操作パネル１７にリモコン２３と同様にウィンドツインファン１を操作できる操作スイッチを直接、設けてもよい。
【００３１】
本体フレーム２の裏面側には、図示しないが、防虫網が排気部５及び給気部６に対応して取り付けられており、各種の虫や浮遊ゴミ等の室内への進入を防止できるように構成されている。
【００３２】
本体フレーム２を窓に取り付ける場合は、窓枠内に取付用サッシ２５を装着する。この取付用サッシ２５は、本体フレーム２の裏面両側の部分に引き出し可能に内蔵されている。即ち、図示はしないが、本体フレーム２の矩形の枠３、４の両側には、サッシガイド溝が設けられており、このサッシガイド溝で案内されて上下方向にスライドし、本体フレーム２に対して上下方向に引き出し自在の取付用サッシ２５及び延長パネル２６（窓枠とウィンドツインファン１の隙間を遮蔽するパネル）が設けられている。
【００３３】
さらに、取付用サッシ２５の下端には窓枠３サッシの下部を受けるサッシ受け２７が取り付けられている。さらに本体フレーム２の上端には、窓枠３サッシの上部の溝に合わせるサッシ溝合わせ部２８が設けられている。なお、考案者の試作品では、窓枠の上下方向の寸法が７０ｃｍ〜１８０ｃｍまでの木製、アルミ製の窓枠に取り付け可能である。
【００３４】
（作用）
ウィンドツインファン１を窓に取り付ける際には、窓の上下方向の寸法に合わせて取付用サッシ２５及び延長パネル２６を本体フレーム２に対して上下動させて調整する。そして、取付用サッシ２５、サッシ受け２７、サッシ溝合わせ部２８をそれぞれ窓枠の内側に対応して装着し、本体フレーム２及び取付用サッシ２５は、窓枠にネジで固定する。これにより、ウィンドツインファン１を、窓に簡単に装着することができる。
【００３５】
リモコン２３を操作して、排気用モータ１１及び給気用モータ１４の両方を同時に回転させ又はそのいずれか一つを回転させることができる。これにより、排気と給気を同時に連続的に運転することができる。さらに、排気と給気のいずれか一方だけ行うことも可能である。
【００３６】
さらに、本考案のウィンドツインファン１は、前記したように、排気ファン８及び給気ファン１０を併設し、それぞれ２スピード（強モード、弱モード）のいずれかに選択でき、排気及び給気を、停止、強モード、弱モードのいずれかに、それぞれ独立的に切り替えることができる。これにより、室（部屋）の温度、湿度、外気の気象条件等に応じて、きめ細かく排気と給気のそれぞれの強度を独立してコントロールでき、快適な住環境作りが可能である。
【００３７】
そして、給気部６の給気ルーバー２１を手動でその角度を調整することのできるような構成とすれば、室内の好みの領域に重点的に給気を可能とすることができる。又、給気ルーバー２１を自動的に送風方向を変えるように揺動可能な構成とすれば、給気用モータ１４の動作時にはシンクロナスモータ２９も動作するようにすることで、給気ルーバー２１も自動的に揺動（スイング）し、部屋全体に均等に給気することができる。
【００３８】
本考案に係るウィンドツインファン１は、タイマー設定による自動運転機能付きの構成としたので、利用者が連続運転時間を設定することにより、設定された時間だけ自動的に連続運転を行うことができる。さらに、本考案に係るウィンドツインファン１は、室温設定による自動停止機能付きの構成としたので、利用者が室温を所望の温度に設定すると、室温がこの設定温度になると、自動的に運転を停止し、その後、室温がこの設定温度からある程度上昇した場合には、運転が再開できる。
【００３９】
なお、本考案に係るウィンドツインファン１に、オプションとしてマイナスイオン装置、酵素発生装置、除菌装置（防カビ装置等）等を必要に応じて併設すれば、それらの特有の効果も相乗的に生じさせることができる。
【００４０】
以上、本考案を実施するための最良の形態を実施例に基づいて説明したが、本考案はこのような実施例に限定されるものではなく、実用新案登録請求の範囲に記載された技術的事項の範囲内でいろいろな実施例があることは言うまでもない。
【産業上の利用可能性】
【００４１】
以上のとおり、本考案に係るウィンドツインファンは、別個に制御できるモータをそれぞれ備えた排気ファンと給気ファンをコンパクトに組み込んで、窓に簡単に取り付けられる構成としたので、夏期の夜間に冷気を取り込むウィンドファンとして最適であるが、通常の室内や喫煙室等の空気が汚れがちな室内等で排気しながら新鮮な空気を常時取り込むための換気装置としてもきわめて有用である。
【図面の簡単な説明】
【００４２】
【図１】図１（ａ）は本考案に係るウィンドツインファンの正面図を示し、図１（ｂ）は側面図を示す。
【図２】図２（ａ）は本考案に係るウィンドツインファンの内部を側方から見た図を示し、図１（ｂ）はリモコンを示す。
【符号の説明】
【００４３】
１  ウィンドツインファン                               
２  本体フレーム                                 
３  矩形の枠                                     
４  矩形の枠（吸気側矩形枠）                                         
５  排気部                                       
６  給気部（吸気部）                             
７  排気パネル                                   
８  排気ファン                                   
９  給気パネル                                   
１０  給気ファン                                 
１１  排気用モータ                               
１２  排気羽根（排気用のプロペラファン）         
１３  スピンナー                                 
１４  給気用モータ                               
１５  給気羽根（給気用のプロペラファン）         
１６  カバーパネル                               
１７  操作パネル                                 
１８  上側開口部                                 
１９  下側開口部                                 
２０  排気ルーバー                                 
２１  給気ルーバー                                 
２２  表示部                               
２３  リモコン                                   
２４  受信部                                     
２５  取付用サッシ                               
２６  延長パネル                                 
２７  サッシ受け                                 
２８  サッシ溝合わせ部
２９  シンクロナスモータ                           
【図１】
0003103260.tif 000003
【図２】
0003103260.tif 000004
【手続補正書】
【提出日】平成16年2月26日(2004.2.26)
【手続補正１】
【補正対象書類名】実用新案登録請求の範囲
【補正対象項目名】全文
【補正方法】変更
【補正の内容】
【実用新案登録請求の範囲】
【請求項１】
本体フレームと、該本体フレームに取り付けられ、排気用モータを有する排気ファン及び給気用モータを有する給気ファンとを備え、窓に装着して使用される窓取付用の換気装置であって、
前記排気用モータ及び前記給気用モータは、それぞれ独立して始動、停止及び回転速度を制御できるものであり、前記排気ファン及び前記給気ファンは、それぞれのモータを制御することにより、同時に運転可能でもあるし、いずれか一つだけでも運転可能であることを特徴とする窓取付用の換気装置。
【請求項２】
前記排気ファン及び給気ファンを正面側から全面的にカバーするカバーパネルが、前記フレームに正面側から取り付けられており、該カバーパネルには、排気ファンに対応して排気側ルーバーが設けられており、給気ファンに対応して可動の給気側ルーバーが設けられていることを特徴とする請求項１記載の窓取付用の換気装置。
【請求項３】
前記本体フレームに、窓枠に取り付けるための取付用サッシ及び窓枠と前記本体フレームとの隙間をカバーする延長パネルを引き出し自在に設けたことを特徴とする請求項１記載の窓取付用の換気装置。
【請求項４】
前記排気用モータ及び前記給気用モータは、タイマー設定による自動運転機能を有するとともに、室温設定により自動停止機能を有することを特徴とする請求項１記載の窓取付用の換気装置。